(57)【要約】２つの主面と前記主面を相互接続する周縁（１２）を有する少なくとも１つの光ディスクを扱う装置。前記装置は、少なくとも装填機構（３０）を備え、該装填機構は手段（３１及び３２、３３及び３４並びに３６及び３７）を備える。前記手段は、動作の間、前記装填機構に配置され得る前記光ディスクの周縁における少なくとも２つの位置に固定され、前記位置は互いから或る距離にある。
2005532645.tif 000002
【特許請求の範囲】
【請求項１】
２つの主面と前記主面を相互接続する周縁とを有する少なくとも１つの光ディスクを扱う装置であって、少なくとも装填機構を備える装置において、前記装填機構は、動作の間、前記装填機構に配置される前記光ディスクの周縁における少なくとも２つの位置に固定されることができる手段を備え、前記位置は互いから或る距離に位置することを特徴とする装置。
【請求項２】
前記光ディスクは、それぞれが２つの主面と前記主面を相互接続する周縁とを有する基板層及び保護板を備え、前記装填機構は、少なくとも１つのＵ型ホルダを備え、前記Ｕ型ホルダは、２つの脚と前記脚を相互接続するブリッジとを有し、動作の間、前記ホルダの前記脚は、前記装填機構中に配置されることができる前記基板層又は前記保護板の周縁の、互いから或る距離に位置する少なくとも２つの位置に固定されることができることを特徴とする、請求項１に記載の装置。
【請求項３】
前記装填機構は２つのＵ型ホルダを備え、動作の間第１のＵ型ホルダの脚が前記保護板の周縁に固定されることができ、第２のＵ型ホルダの脚が動作の間前記基板層の周縁に固定されることができ、前記２つのＵ型ホルダのブリッジが、前記ブリッジに平行に延在する枢転軸のまわりに蝶番式に動き得るように互いに結合されることを特徴とする、請求項２に記載の装置。
【請求項４】
前記装填機構は２つのＵ型ホルダを備え、動作の間第１のＵ型ホルダの脚が前記保護板の周縁に固定されることができ、第２のＵ型ホルダの脚が動作の間前記基板層の周縁に固定されることができ、前記２つのＵ型ホルダのブリッジが、前記ブリッジを横切って延在する枢転軸のまわりに枢転可能であることを特徴とする、請求項２又は３に記載の装置。
【請求項５】
前記光ディスクは基板層及び保護板を備え、前記基板層は２つの主面と前記主面を相互接続する周縁とを有し、前記装填機構は、少なくとも２つの滑車と、前記滑車のまわりに配置された輪状のベルトと、誘導素子とを備え、動作の間、前記装填機構中に配置されることができる前記基板層の周縁は、前記誘導素子と前記輪状のベルトとの間に配置されることができることを特徴とする、請求項１に記載の装置。
【請求項６】
２つの主面と前記主面を相互接続する周縁とを有する少なくとも１つの光ディスクを扱う方法であって、前記光ディスクは装填機構を備える装置に挿入される方法において、前記装填機構に配置された手段が、前記光ディスクの周縁における少なくとも２つの位置に固定され、前記位置は互いから或る距離に配置され、前記手段により前記光ディスクは前記装填機構へと及び前記装填機構から移動させられることを特徴とする方法。
【請求項７】
前記光ディスクは、それぞれが２つの主面と前記主面を相互接続する周縁とを有する基板層及び保護板を備え、前記装填機構は、前記基板層又は前記保護層の周縁の２つの位置に固定される手段を備え、前記位置は互いから或る距離に配置され、前記保護板及び前記基板層は前記手段によって互いから分離されることを特徴とする、請求項６に記載の方法。
【請求項８】
前記保護板は、前記主面に平行に延在する枢転軸のまわりに前記基板層に対して前記手段によって枢転されることを特徴とする、請求項７に記載の方法。
【請求項９】
前記手段は、前記主面を横切って延在する旋回軸のまわりに前記基板層に対して前記保護板を旋回させることを特徴とする、請求項７又は８に記載の方法。
【請求項１０】
前記手段は、前記主面に平行に延在する方向に前記保護板に対して前記基板層を移動させることを特徴とする、請求項７乃至９のいずれか一項に記載の方法。
【発明の詳細な説明】
【技術分野】
【０００１】
本発明は、２つの主面と前記主面を相互接続する周縁とを有する少なくとも１つの光ディスクを扱う装置であって、少なくとも装填機構を備える装置に関する。
【０００２】
本発明は更に、２つの主面と前記主面を相互接続する周縁とを有する少なくとも１つの光ディスクを扱う方法であって、前記光ディスクは装填機構を備える装置に挿入される方法に関する。
【背景技術】
【０００３】
光ディスクを扱うためのかような装置及び方法は、米国特許US-A-4,802,155より知られている。該知られた装置は装填機構を備え、該装填機構に光ディスクが装填される。前記光ディスクは、２つの主面と前記主面を相互接続する周縁とを持つ。前記装填機構はクランプ手段を備え、該クランプ手段により、前記光ディスクは該ディスクの表面を把持される。前記クランプ手段は、前記光ディスクを前記装填機構に導き、そこから該光ディスクを取り扱い装置へと移動させる。該取り扱い装置中には、読み取り又は書き込み装置が配置される。
【発明の開示】
【発明が解決しようとする課題】
【０００４】
前記知られた装置は、前記クランプ手段が該クランプ手段自身を前記光ディスクの主面に接触させる、前記光ディスクの主面において表面エリアが利用可能であるべきであるという欠点を持つ。当該表面エリアは好ましくは、前記主面に記録されたデータへの損害を防止するために、データが書き込まれる又は読み取られることのできる主面のエリアの外側に配置されるべきである。
【０００５】
本発明の目的は、光ディスクが装填機構によって移動させられることができ、一方で主面上の装填機構によって接触されるべき表面エリアが最小限である装置を提供することにある。
【課題を解決するための手段】
【０００６】
本目的は、前記装填機構が、動作の間、前記装填機構に配置される前記光ディスクの周縁における少なくとも２つの位置に固定されることができる手段を備え、前記位置は互いから或る距離に位置することにより、本発明による装置において達成される。
【０００７】
前記光ディスクの前記周縁に固定させることの利点は、前記光ディスクの主面が前記装填装置によって触れられない又は略触れられない点である。結果として、基板層の主面の略全体の表面エリアがデータ層として働くことができる。加えて、比較的小さい直径の光ディスクの比較的長い周縁は、ディスクの枢転（pivot）等のない安定しディスクの把持のためにかなり適している。
【０００８】
本発明による装置の実施例は、前記光ディスクが、それぞれが２つの主面と前記主面を相互接続する周縁とを有する基板層及び保護板を備え、前記装填機構は、少なくとも１つのＵ型ホルダを備え、前記Ｕ型ホルダは、２つの脚と前記脚を相互接続するブリッジとを有し、動作の間、前記ホルダの前記脚は、前記装填機構中に配置されることができる前記基板層又は前記保護板の周縁の、互いから或る距離に位置する少なくとも２つの位置に固定されることができることを特徴とする。
【０００９】
かようなＵ型のホルダは、比較的単純な構造のものであり、前記保護板及び基板層は、前記Ｕ型ホルダにより比較的素早く互いから分離される。これにより、前記保護板によって遮蔽された基板層の主面は、読み取り又は書き込み装置のような処理装置に対してアクセス可能となる。
【００１０】
本発明による装置の更なる実施例は、前記装填機構が２つのＵ型ホルダを備え、動作の間第１のＵ型ホルダの脚が前記保護板の周縁に固定されることができ、第２のＵ型ホルダの脚が動作の間前記基板層の周縁に固定されることができ、前記２つのＵ型ホルダのブリッジが、前記ブリッジに平行に延在する枢転軸のまわりに蝶番式に動き得るように互いに結合されることを特徴とする。
【００１１】
かような実施例の利点は、前記保護板及び前記基板層が両方とも、それぞれのＵ型ホルダにより安全に把持され、高速で比較的単純な方法で互いに分離されることができ、これにより前記保護板と前記基板層との間の接触が比較的迅速に終えられる点である。
【００１２】
本発明による装置の更に他の実施例は、前記装填機構が２つのＵ型ホルダを備え、動作の間第１のＵ型ホルダの脚が前記保護板の周縁に固定されることができ、第２のＵ型ホルダの脚が動作の間前記基板層の周縁に固定されることができ、前記２つのＵ型ホルダのブリッジが、前記ブリッジを横切って延在する枢転軸のまわりに枢転可能であることを特徴とする。
【００１３】
かような実施例の利点は、前記基板層と前記保護板とが、比較的単純な方法で互いから分離される点である。前記基板層及び／又は前記保護板は、前記主面に平行な平面内を移動させられるため、前記装置は比較的小型な構造のものとなり得る。加えて、旋回（swivel）運動に後続される、前記基板層と前記保護層との間の接触を終わらせる最初のわずかな枢転の動きが、前記保護板と前記基板層との間の摩擦なく、前記基板層の主面から前記保護板を取り外すことを可能とする。
【００１４】
本発明による装置の他の実施例は、前記光ディスクが基板層及び保護板を備え、前記基板層は２つの主面と前記主面を相互接続する周縁とを有し、前記装填機構は、少なくとも２つの滑車と、前記滑車のまわりに配置された輪状のベルトと、誘導素子とを備え、動作の間、前記装填機構中に配置されることができる前記基板層の周縁は、前記誘導素子と前記輪状のベルトとの間に配置されることができることを特徴とする。
【００１５】
かような実施例の利点は、並進移動により、前記基板層が前記保護板から比較的単純でかさばらない方法で分離されることができる点である。
【００１６】
本発明の目的はまた、前記知られた方法の欠点が回避される方法を提供することにある。
【００１７】
本目的は、前記装填機構に配置された手段が、前記光ディスクの周縁における少なくとも２つの位置に固定され、前記位置は互いから或る距離に配置され、前記手段により前記光ディスクは前記装填機構へと及び前記装填機構から移動させられることにより、本発明による方法において達成される。
【００１８】
かような方法の利点は、前記光ディスクの主面が、前記光ディスクの把持の間触れられる必要が略ないという点である。
【００１９】
本発明による更なる方法は、前記光ディスクが、それぞれが２つの主面と前記主面を相互接続する周縁とを有する基板層及び保護板を備え、前記装填機構は、前記基板層又は前記保護層の周縁の２つの位置に固定される手段を備え、前記位置は互いから或る距離に配置され、前記保護板及び前記基板層は前記手段によって互いから分離されることを特徴とする。
【００２０】
かような方法の利点は、前記光ディスクが、比較的単純な方法で前記装填機構に配置される点である。加えて、前記保護板は前記手段により前記基板層から分離され、これにより前記保護板により最初遮蔽されている前記基板層の主面が、処理装置に対してアクセス可能となる。
【００２１】
本発明による更に他の方法は、前記保護板が、前記主面に平行に延在する枢転軸のまわりに前記基板層に対して前記手段によって枢転されることを特徴とする。
【００２２】
かような実施例の利点は、前記保護板と前記基板層とが、効率的で、高速で、かつ比較的単純な方法で分離され、これにより前記保護板と前記基板層との間の接触が比較的迅速に終わらせられる点である。
【００２３】
本発明による更なる方法は、前記手段が、前記主面を横切って延在する旋回軸のまわりに前記基板層に対して前記保護板を旋回させることを特徴とする。
【００２４】
かような方法の利点は、旋回軸の周りの回転運動による前記基板層からの前記保護板の分離が、比較的単純であるという点である。
【００２５】
本発明による更に他の方法は、前記手段が、前記主面に平行に延在する方向に前記保護板に対して前記基板層を移動させることを特徴とする。
【００２６】
かような方法の利点は、前記基板層がかさばらない方法で前記保護板から分離される点である。
【００２７】
本発明は、添付する図を参照しながら、以下により詳細に例として説明される。
【００２８】
対応する構成要素は、図において同一の参照番号を与えられている。
【発明を実施するための最良の形態】
【００２９】
図１は、光ディスク１の第１の実施例の図式化した断面図である。光ディスク１は、基板層２と、前記ディスクに結合されることができる着脱可能な保護板３とを有する。円形の基板層２は、支持板４と、支持板４に結合される記録層５と、前記支持板４の反対側を向く前記記録層５の側面において記録層５に結合される被覆層６とを有する。支持板４に比べて薄い被覆層６は、媒体の読み取り又は書き込みのために透明な物質から製造される。支持板４は、例えば金属や合成樹脂のような堅固な物質から製造される。磁石９は、支持板４の中心に配置される。
【００３０】
基板層２に着脱可能に固定された保護板３は、支持板４の反対側を向く側面において前記基板層に向かい合って配置される。磁石１０は、保護板３の中央部に配置される。
【００３１】
保護板３の機能がここで簡単に説明される。記録層５を保護するため、保護板３は実線で示された位置から保護層３’を表す点線で示された位置へ、被覆層６の側から移動させられる。ここで保護層３’は、磁石９及び１０によって支持板４に着脱可能に固定される。保護板３は、磁石９及び１０によって基板層２に配置され保持される。
【００３２】
基板層２は、支持板４及び被覆層６によって形成される２つの主面１１と、主面１１を相互接続する周縁１２とを備える。保護板３は、２つの主面１３と、主面１３を相互接続する周縁１４とを備える。
【００３３】
図２は、光ディスク１の第２の実施例の斜視側面図である。本実施例において、光ディスク１はジャケット型の保護板３、及び基板層２を有する。基板層２は、図１におけるものと同じ構造を持つ。ジャケット型の保護層３は、磁石１０を持つ。基板層２は、保護の目的のため、ジャケット型の保護層３に滑り込ませられる。基板層２は、ジャケット型の保護層３により略完全に密閉され保護される。
【００３４】
図３ａ乃至３ｃ及び図４は、光ディスク１が配置される装置において配置された、本発明による装填機構３０の実施例の図である。装填機構３０は、２つのＵ型ホルダ３１及び３２を持ち、それぞれの前記Ｕ型ホルダは、２つの脚３３及び３４と、前記脚３３及び３４に結合するブリッジ３６及び３７を持つ。
【００３５】
Ｕ型ホルダ３１は、ブリッジ３６を横切って延在する旋回軸３５のまわりに旋回することができる。Ｕ型ホルダ３２は、ブリッジ３７に平行に延在する枢転軸４０のまわりに枢転可能である。
【００３６】
装填機構３０の動作がここで簡単に説明される。光ディスク１は、矢印Ｐ１によって示される方向に、Ｕ型ホルダ３１及び３２の脚３３及び脚３４の間に手動で挿入される。これにより、基板層２の周縁１２が、Ｕ型ホルダ３１の脚３３の間に締め付けられる。同時に、保護板３の周縁１４は、Ｕ型ホルダ３２の脚３４によって把持される。図３ａにおける位置から始めて、Ｕ型ホルダ３２は矢印Ｐ２の方向に、枢転軸４０のまわりに枢転させられる（図３ｃ）。次いで、内部に基板層２を配置されたＵ型ホルダ３１は、矢印Ｐ３によって示される方向に、図４に示す位置へと旋回軸３５のまわりに旋回させられる。当該位置において、前記基板層は書き込み及び／又は読み取り手段によって直接に書き込まれ又は読み取られても良いし、更なる処理のための手段（図示されていない）によって、Ｕ型ホルダ３１から矢印Ｐ４によって示される方向に移動させられても良い。
【００３７】
図５ａ及び５ｂは、装置に配置された装填機構５０の第２の実施例の平面図及び側面図である。装填機構５０は、２つの滑車５１及び５２と、滑車５１及び５２のまわりに配置された輪状のベルト５３とを備える。装填機構５０は更に、輪状のベルト５３からある距離において、輪状のベルト５３と平行に延在する誘導素子５４を備える。図２に示される光ディスク１は装填機構５０に配置される。光ディスク１は、基板層２とジャケット型の保護板３を有する。
【００３８】
ジャケット型の保護板３は、該保護板３の周縁１４に溝をつけられたくぼみ５７を有し、該くぼみ５７を通して基板層２が一部延在する。
【００３９】
装填機構５０の動作がここで簡単に説明される。光ディスク１は、ジャケット型の保護板３が接合点（図示されていない）に当たるまで、矢印Ｐ１によって示される方向に装填機構５０に挿入される。前記くぼみ５７はここでは滑車５２に向かって配置され、そのため滑車５１及び５２の周りに備えられたベルト５３が、保護板３に配置された基板層２の周縁１２を圧迫する。基板層２は更に、くぼみ５７と反対側のジャケット型の保護板３の壁を圧迫する。滑車５１及び５２は次いで矢印Ｐ５によって示される方向に駆動され、これによりベルト５３は矢印Ｐ６によって示される方向に動かされる。結果として、基板層２は矢印Ｐ７によって示される方向に回転を始め、ジャケット型の保護板３から回転して出る。基板層３が部分的に保護板３から移動した後、基板層２の周縁１２が誘導素子５４と接触するようになり、該誘導素子５４に沿って回転して進む。
【００４０】
装填機構３０及び装填機構５０の両方において、基板層２と保護板３との間の再びの接触も、前記装填機構によって達成されることが明らかであろう。
【００４１】
装填機構３０及び５０は、例えば書き込み及び／又は読み取りユニットを備えても良い装置に配置される。
【００４２】
代替として、旋回軸３５のみ、又は枢転軸４０のみを備えた装填機構を備えることも可能である。
【００４３】
代替として、装填機構５０が、基板層２の両方の側に、滑車の周りの輪状ベルトを備えることも可能である。この場合には基板層２は、ジャケット型の保護板３から並進移動で取り外される。
【００４４】
更に、基板層２が矢印Ｐ４によって示される方向に移動させられる代わりに、脚３３の間で回転させられることができるように、脚３３を互いから幾分離して配置させることも可能である。
【図面の簡単な説明】
【００４５】
【図１】光ディスクの第１の実施例の図式化した断面図である。
【図２】光ディスクの第２の実施例の斜視側面図である。
【図３（ａ）】装置に配置された本発明による装填機構の第１の実施例の図式化した平面図である。
【図３（ｂ）】装置に配置された本発明による装填機構の第１の実施例の断面図である。
【図３（ｃ）】装置に配置された本発明による装填機構の第１の実施例の断面図である。
【図４】異なる位置において装置に配置された本発明による装填機構の図３ａ乃至３ｃに示された実施例の図式化した平面図である。
【図５（ａ）】装置に配置された本発明による装填機構の第２の実施例の図式化した平面図である。
【図５（ｂ）】装置に配置された本発明による装填機構の第２の実施例の図式化した側面図である。
【図１】
2005532645.tif 000003
【図２】
2005532645.tif 000004
2005532645.tif 000005
【図４】
2005532645.tif 000006
2005532645.tif 000007
【国際調査報告】
2005532645.tif 000008
2005532645.tif 000009
2005532645.tif 000010
2005532645.tif 000011
2005532645.tif 000012